(57)【要約】【課題】磁石を利用しないリードスイッチの提供。【解決手段】本考案のリードスイッチは、第一導電体とリードスイッチを含み、前記第一導電体が第一経路に沿って適切な長さに延伸され、前記リードスイッチは前記第一導電体の片側に設置され、少なくとも第一リード片と第二リード片を含み、電流が前記第一導電体を通過すると前記第一経路に垂直な磁場が発生し、前記リードスイッチの第一リード片と第二リード片が前記磁場の磁力範囲内に位置する。【選択図】図１
0003125940.tif 000002
【実用新案登録請求の範囲】
【請求項１】
第一導電体とリードスイッチを含み、前記第一導電体が第一経路に沿って適切な長さ延伸され、前記リードスイッチが前記第一導電体の片側に設置され、少なくとも第一リード片と第二リード片を含み、電流が前記第一導電体を通過し前記第一経路に垂直な磁場を形成し、前記リードスイッチの第一リード片と第二リード片が前記磁場の磁力範囲内に位置する構成としたリードスイッチ。
【請求項２】
前記第一導電体が直線を呈する構成とした請求項１に記載のリードスイッチ。
【請求項３】
前記第一導電体が局部的に湾曲を形成し、且つ、前記リードスイッチが前記湾曲部分に囲まれた区域の傍に位置する構成とした請求項１に記載のリードスイッチ。  
【請求項４】
前記第一導電体が局部的に巻かれて周回を形成し、前記周回が接触せずに少なくとも一周され、且つ、前記リードスイッチが前記周回区域内に位置する構成とした請求項１に記載のリードスイッチ。
【請求項５】
第一導電体と、第二導電体と、リードスイッチを含み、前記第一導電体が第一経路に沿って適切な長さ延伸され、前記第二導電体が第二経路に沿って適切な長さ延伸され、前記リードスイッチが前記第一導電体と第二導電体の間に設置され、少なくとも第一リード片と第二リード片を含み、電流が前記第一導電体を通過して前記第一経路に垂直な第一磁場を形成し、電流が反対方向に前記第二導電体を通過して前記第二経路に垂直な第二磁場を形成し、前記リードスイッチの第一リード片と第二リード片が前記第一磁場と第二磁場の磁力範囲内に位置する構成としたリードスイッチ。
【請求項６】
前記第一導電体と第二導電体間に光信号回路を接続した構成とした請求項５に記載のリードスイッチ。
【請求項７】
前記光信号回路が整流を行うダイオード、フィルタリングを行うコンデンサ、電流の電圧を下げる抵抗器及び電流を通過させる発光ダイオードを含む構成とした請求項６に記載のリードスイッチ。  
【請求項８】
前記第一導電体と第二導電体間に音声信号回路を接続した構成とした請求項５に記載のリードスイッチ。
【請求項９】
前記音声信号回路が少なくとも整流を行うダイオード、フィルタリングを行うコンデンサ、限流を行うツェナーダイオード、トランジスタ及び前記トランジスタに駆動されるブザーを含む構成とした請求項８に記載のリードスイッチ。
【考案の詳細な説明】
【技術分野】
【０００１】
本考案はリードスイッチに関し、詳細には、電流を利用して磁場を発生し、且つ、前記磁場により磁場範囲内に位置するリードスイッチを制御する構造をもったリードスイッチに関する。
【背景技術】
【０００２】
台湾実用新案公告第１４１３０５号の特許「防犯用リードスイッチ座体構造」は、磁石とリードスイッチを含み、前記磁石を前記リードスイッチに接続し、磁石の磁力を利用してリードスイッチの２つのリード片を相互に接続して導通するものである。
【０００３】
また、台湾実用新案公告第４９９９８５号の特許「リードスイッチを利用して速度を検知する電子ウォッチの構造」は、磁石とリードスイッチを含み、前記磁石を前記リードスイッチに接続し、前記磁石の磁力の強弱により、前記リードスイッチのリード片を制御して相互に接続し導通するものである。
【０００４】
しかしながら、上述の先行技術は共に磁石の磁力によりリードスイッチのリード片を磁力で吸引し、リードを制御して相互に吸引させ接続し、導通させるものであるため、リードスイッチの作動は実体磁石の制御を受ける。
【非特許文献１】台湾実用新案公告第１４１３０５号
【非特許文献２】台湾実用新案公告第４９９９８５号
【考案の開示】
【考案が解決しようとする課題】
【０００５】
従来のリードスイッチの制御は磁石の磁力を利用したものであるが、本考案の目的は磁石を利用しないリードスイッチを提供することにある。
【０００６】
本考案はさらに、上述のリードスイッチの動作に基づき、前記スイッチと相互に組み合わせる回路を制御する構造を有するリードスイッチを提供する。  
【課題を解決するための手段】
【０００７】
本考案のリードスイッチは、第一導電体とリードスイッチを含み、前記第一導電体が第一経路に沿って適切な長さに延伸され、前記リードスイッチは前記第一導電体の片側に設置され、少なくとも第一リード片と第二リード片を含み、電流が前記第一導電体を通過すると前記第一経路に垂直な磁場が発生し、前記リードスイッチの第一リード片と第二リード片が前記磁場の磁力範囲内に位置する。
【０００８】
上述の第一導電体は直線状とすることができる。
【０００９】
上述の第一導電体は局部的に湾曲を形成し、且つ、前記リードスイッチを前記湾曲により囲まれる区域傍に位置させることができる。
【００１０】
上述の第一導電体は局部的に巻いて周回を形成し、前記周回が接触せずに少なくとも一周回り、且つ、前記リードスイッチを前記周回区域内に位置させることができる。
【００１１】
本考案の別のリードスイッチは、第一導電体、第二導電体、リードスイッチを含み、前記第一導電体が第一経路に沿って適切な長さに延伸され、前記第二導電体が第二経路に沿って適切な長さに延伸され、前記リードスイッチは前記第一導電体と第二導電体の間に設置され、少なくとも第一リード片と第二リード片を含み、電流が前記第一導電体を通過すると前記第一経路に垂直な第一磁場が発生し、電流が反対方向に前記第二導電体を通過すると前記第二経路に垂直な第二磁場が発生し、前記リードスイッチの第一リード片と第二リード片が前記第一磁場と第二磁場の磁力範囲内に位置する。
【００１２】
上述の第一導電体と第二導電体間にさらに光信号回路を接続することができる。
【００１３】
上述の光信号回路は、ダイオードで整流し、さらにコンデンサで整流後の電流に対しフィルタリングを行い、且つ、抵抗器で電流の電圧を下げ、発光ダイオードで光信号を発生させることができる。
【００１４】
上述の第一導電体と第二導電体間にさらに音声信号回路を接続することができる。
【００１５】
上述の音声信号回路は、ダイオードで整流し、さらにコンデンサで整流後の電流に対しフィルタリングを行い、且つ、ツェナーダイオードで電流に対し限流を行い、電流にトランジスタを作動させ、トランジスタがブザーに音声信号を発生させることができる。        
【考案の効果】
【００１６】
本考案には次のような利点がある。
1.    第一導電体は多くの型態があり、各経路型態すべてがそれぞれ磁場を発生してリードスイッチを駆動することができる。
2.    リードスイッチは第一導電体と第二導電体の間に設置でき、第一導電体と第二導電体が発生する同方向の磁場を利用しリードスイッチを駆動することができる。
3.    本考案は電流が発生する磁場を利用してリードスイッチを制御するものであり、作動の動力は電流が発生する磁場である。
4.        
磁場が特定値に達しなければ磁性スイッチを動作させることはできず、「電流が大きいほど磁場も大きい」という現象を利用し、一定位置のリードスイッチの作動から反対にそのときの作業電流の大きさを推計することができ、この現象を利用し、リードスイッチの動作の是否に基づき、作業電流の状態を把握することができる。
5.        
製造上のさまざまな要素により、リードスイッチの駆動磁力には誤差があるが、本考案においては、設置にあたりリードスイッチと電流経路間の距離を調整することにより、「距離が大きいほど磁場が小さい」という現象を利用して上述の駆動磁力の誤差を帳消しにすることができる。        
【実施例１】
【００１７】
まず、図１に示すように、本考案は第一導電体１とリードスイッチ２を含み、そのうち、前記第一導電体１は第一経路に沿って適切な長さ延伸され、前記第一導電体１は実質上導電性の金属片または金属線等とすることができ、前記リードスイッチ２は前記第一導電体１の片側に位置し、前記リードスイッチ２は第一リード片２１と第二リード片２２を含み、且つ、前記第一リード片２１と第二リード片２２の端部が相互に重なる。
【００１８】
図１及び図２に示すように、図１における直線矢印は電流の方向を示しており、前記電流が前記第一導電体１を通過するとき磁場図２における円形の輪を発生し、前記磁場の方向と電流の方向は相互に垂直を成し、リードスイッチ２が前記第一導電体１の片側且つ上述の磁場の作用範囲内に位置する。これにより、前記リードスイッチ２に作用する磁場強度が充分に大きいとき、前記第一リード片２１と第二リード片２２の重なり箇所が極性の相反する磁性を検知し、両者が相互に吸引されて１つの接点が形成され、リードスイッチ２を導通状態とする。
【００１９】
図３に示すように、前記リードスイッチ２に作用する磁場強度が消失または弱くなると、前記第一リード片２１と第二リード片２２の重なり箇所の磁性もそれに伴い消失または弱くなり、前記第一リード片２１と第二リード片２２の重なり箇所が接触しなくなって前記リードスイッチ２が導通しない状態となる。
【００２０】
実施時には、「過大な作業電流」が上述のリードスイッチ２を作動させるに足る磁場強度を発生するため、前記リードスイッチ２が作動されることにより、前記の「過大な作業電流」を反映した情報を発生することができる。
【００２１】
「無しから有りへの作業電流」も上述のリードスイッチ２を作動させるに足る磁場強度を発生することができるため、前記リードスイッチ２が作動されることにより、前記の「作業電流の存在」を反映した情報を発生することができる。
【００２２】
「作業電流がある値に達した」ときも上述のリードスイッチ２を作動させるに足る磁場強度を発生することができるため、前記リードスイッチ２が作動されることにより、前記の「作業電流がある値に達した」ということを反映した情報を発生することができる。
【実施例２】
【００２３】
図４に示すように、電流が通過する第一導電体１はリードスイッチ２の第一リード片２１と第二リード片２２のある箇所を局部的に包囲させてもよく、即ち、リードスイッチ２を前記第一導電体１の湾曲部分の曲率中心付近に位置させ、電流が第一導電体１の湾曲部分を通過して発生する磁場が前記第一リード片２１と第二リード片２２に共同作用する。
【実施例３】
【００２４】
図５に示すように、電流が通過する前記第一導電体１は、局部的に巻いて周回を形成してもよく、この周回は接触せずに少なくとも一周し、且つ、前記リードスイッチ２の第一リード片２１と第二リード片２２の所在箇所の周りを囲み、即ち、前記リードスイッチ２をこの周回区域内に位置させ、電流が前記第一導電体１の周回を通過するとき発生する磁場が前記リードスイッチ２に共同作用し、且つ、前記第一導電体１の周回の回数が多いほど、その磁場が大きくなる。
【実施例４】
【００２５】
本考案のさらに別の実施例は、図６に示すように、第一導電体１A、第二導電体１B及びリードスイッチ２Aを含み、そのうち、前記第一導電体１Aは第一経路に沿って適切な長さ延伸され、前記第二導電体１Bは第二経路に沿って適切な長さ延伸され、前記第一導電体１Aと第二導電体１B間に前記リードスイッチ２Aが設置され、前記リードスイッチ２Aは第一リード片２１A、第二リード片２２Aを含む。
【００２６】
電流が前記第一導電体１Aを通過するとき前記第一経路に垂直な第一磁場を発生し、電流が反対方向に前記第二導電体１Bを通過するとき前記第二経路に垂直な第二磁場を発生する。前記リードスイッチ２Aの第一リード片２１Aと第二リード片２２Aが前記第一磁場と第二磁場の磁力範囲内に位置し、且つ、前記第一磁場と第二磁場の磁場方向は同じであり、前記第一リード片２１Aと第二リード片２２Aに共同作用する。上述の第一導電体１Aは電源回路中の活線とすることができ、前記第二導電体１Bは電源回路中の中性線とすることができる。
【００２７】
図７に示すように、電流を光信号回路３Aに導通させる場合、前記光信号回路３Aがダイオード３１A、コンデンサ３２A、抵抗器３３A、発光ダイオード３４Aを含み、前記光信号回路３Aの一端がリードスイッチ２Aの第一リード片２１Aに接続され、且つ、前記リードスイッチ２Aの第二リード片２２Aが電源回路の活線４Aに接続され、光信号回路３Aの他端が上述の電源回路の中性線４Bに接続され、そのうち、前記活線４Aと中性線
４Bの電流方向は相反するものとし、電流が活線４Aを流れるとき、その発生する磁場がリードスイッチ２Aの第一リード片２１Aと第二リード片２２Aにその磁性を検知させて接触させる。このとき、電流は前記ダイオード３１Aを経て整流され、安定した電流として入力され、前記コンデンサ３２Aがその整流後の電流をフィルタリングしてその電流のノイズを減少し、前記抵抗器３３Aを介して電流の電圧を下げ、前記発光ダイオード３４Aで光信号を発生させる。これにより、上述の電源回路に電流が通過した、或いは前記電源回路の電流負荷がすでにある値に達したことを表示することができる。前述の活線４Aを通過する電流が小さくなり、その発生する磁場強度が前記第一リード片２１Aと第二リード片２２Aにその磁性を検知させて接触させるに足りない場合、光信号回路３Aは作用を停止し、光信号が表示されなくなる。または、電流の活線４Aの通過が停止されると、前記第一リード片２１Aと第二リード片２２Aが磁場の消失により接触しなくなり、光信号回路３Aも作用が停止し、光信号が表示されなくなる。
【００２８】
図８に示すように、電流を音声信号回路３Bに導通させる場合、前記音声信号回路３Bはダイオード３１B、コンデンサ３２B、ツェナーダイオード３３B、トランジスタ３４B、ブザー３５Bを含み、前記音声信号回路３Bの一端が前記リードスイッチ２Aの第一リード片２１Aに接続され、且つ、前記リードスイッチ２Aの第二リード片２２Aが電源回路中の活線５Aに接続され、前記音声信号回路３Bの他端が上述の電源回路中の中性線５Bに接続され、そのうち、前記活線５Aと中性線５Bの電流方向は相反するものとする。電流が活線５Aを流れるとき、その発生する磁場が前記リードスイッチ２Aの第一リード片２１Aと第二リード片２２Aにその磁性を検知させ、この両者を接触させる。このとき、電流が前記ダイオード３１Bを経て整流され安定した電流となり、前記コンデンサ３２Bがこの整流後の電流をフィルタリングして電流のノイズを減少し、さらに前記ツェナーダイオード３３Bにより電流に対し限流を行い、その電流が前記トランジスタ３４Bの電圧より大きいとき、前記トランジスタ３４Bが作動状態となり、このとき前記ブザー３５Bが前記トランジスタ３４Bにより駆動され、音声警告を発生する。
【００２９】
これにより、上述の電源回路に電流が通過した、或いは前記電源回路の電流負荷がすでにある値に達したことを表示することができる。前述の活線５Aを通過する電流が小さくなり、その発生する磁場強度が前記第一リード片２１Aと第二リード片２２Aにその磁性をさせて接触させるに足りない場合、音声信号回路３Bは作用を停止し、音声を発しなくなる。または、電流の活線５Aの通過が停止されると、前記第一リード片２１Aと第二リード片２２Aが磁場の消失により接触しなくなり、音声信号回路３Bも作用が停止し、音声を発しなくなる。
【図面の簡単な説明】
【００３０】
【図１】本考案の構造を示す模式図である。
【図２】本考案の実施例１においてリードスイッチの第一リード片と第二リード片が相互に接触した状態を示す模式図である。
【図３】本考案の実施例１においてリードスイッチの第一リード片と第二リード片が離れた状態を示す模式図である。
【図４】本考案の実施例２において第一リード片と第二リード片が第一導電体に局部的に包囲された状態を示す模式図である。
【図５】本考案の実施例３において第一リード片と第二リード片が第一導電体に接触せずに少なくとも一周囲まれた状態を示す模式図である。
【図６】本考案の実施例４において第一リード片と第二リード片が第一導電体と第二導電体の間に位置し、且つ、第一導電体と第二導電体の電流方向が相反する状態を示す模式図である。
【図７】本考案において電源回路間に光信号回路を設けた状態を示す回路図である。
【図８】本考案において電源回路間に音声信号回路を設けた状態を示す回路図である。
【符号の説明】
【００３１】
１        第一導電体
１A      第一導電体     
１B      第二導電体     
２    リードスイッチ   
２A    リードスイッチ 
２１      第一リード片                
２１A  第一リード片
２２  第二リード片
２２A  第二リード片
３A    光信号回路           
３１A  ダイオード             
３２A  コンデンサ
３３A  抵抗器         
３４A  発光ダイオード
３B    音声信号回路
３１B  ダイオード             
３２B  コンデンサ
３３B  ツェナーダイオード   
３４B  トランジスタ
３５B  ブザー         
４A      活線                          
４B      中性線
５A      活線
５B      中性線
【図１】
0003125940.tif 000003
【図２】
0003125940.tif 000004
【図３】
0003125940.tif 000005
【図４】
0003125940.tif 000006
【図５】
0003125940.tif 000007
【図６】
0003125940.tif 000008
【図７】
0003125940.tif 000009
【図８】
0003125940.tif 000010